(57)【要約】【課題】  容易に取り外しが可能な高トルクの組立式対応ポールを提供する。【解決手段】システムは、第一ポール部の管状メス型端部と、そのメス型端部に挿入可能な第二ポール部のオス型端部を含む。そのシステムは更に、オス型及びメス型端部をしっかり固定するためにメス型端部と固定ナットを接触させるために、オス型端部で縦に移行するために回転可能な、固定ナットとネジによって連結されるオス型端部を含む。更にシステムは、第二ポール部の固定アセンブリ部にスライド及び回転可能に取り付けられるバイアス固定スリーブアセンブリを含む。固定スリーブアセンブリは、固定スリーブと、固定ナットに固定力を与える固定スリーブの内部にスライド可能に位置づけられるバイアスプランジャーと、を含んでもよい。【選択図】図２
2009236912.tif 000002
【特許請求の範囲】
【請求項１】
第一ポール部（１４）と第二ポール部（１８）とを連結するシステムであって、
前記第一ポール部（１４）の管状メス型端部（２６）と前記メス型端部（２６）に挿入可能な前記第二ポール部（１８）のオス型端部（３０）と、
オス型端部（３０）が前記メス型端部（２６）と固定して連結されるために縦方向に移行し、前記オス型端部（３０）にネジによって連結される固定ナット（３４）と、
前記第二ポール部（１８）の固定アセンブリ部（７８）にスライド及び回転可能に取り付けられるバイアス固定スリーブアセンブリ（７４）とからなるシステムであって、
前記バイアス固定スリーブアセンブリ（７４）が、
カラー部及び首部を含む固定スリーブ（８２）と、
前記カラー部の内側にスライド可能に取り付けられたプランジャー（９４）と、
前記固定ナット（３４）に対して前記プランジャー（９４）を推し進めるために前記首部と前記プランジャー（９４）との間のカラー部の内部に位置づけられるバイアス装置（９８）と、を含む。
【請求項２】
前記固定スリーブの首部は、前記固定スリーブ（８２）を固定位置に位置づけるための前記固定アセンブリ部（７８）を延びる固定スリーブ保持ピン（１１０）に連結可能な複数の固定スロット（１０２）からなり、前記バイアス装置（９８）が、前記固定スリーブ（８２）が固定位置のとき、前記プランジャ（９４）を通じて前記固定ナット（３４）の回転を抑制するのに十分な前記固定ナット（３４）に固定負荷を及ぼす、請求項１に記載のシステム。
【請求項３】
前記固定スリーブ首部は、前記固定スリーブ（８２）を解除位置に位置づけるために前記固定スリーブ保持ピン（１１０）に連結可能な一対の前記収縮スロット（１０６）から更になり、前記固定スリーブ（８２）が解除位置のとき、前記バイアス装置（９８）及びプランジャー（９４）を通じて、前記固定ナット（３４）の前記負荷は、前記固定ナット（３４）の回転及び前記オス型及びメス型端部（３０及び２６）を可能にするために減少される、請求項２に記載のシステム。
【請求項４】
前記固定スロット（１０２）は、固定スリーブ首部の先端部（１１８）の内部表面に放射状に位置しているスロットと、固定アセンブリ部（７８）を延びる前記固定スリーブ保持ピン（１１０）と、からなり、前記保持ピン（１１０）の相対する端部は、前記固定スリーブ（８２）を固定スロット（１０２）に固定位置に保持するために挿入可能になっている、請求項３に記載のシステム。
【請求項５】
収縮スロット（１０６）は、固定スリーブ首部の先端部（１１８）の内表面に形成された一対の相対するスロットからなり、保持ピン（１１０）の相対する端部は、解除位置に固定スリーブを保持するために収縮スロット（１０６）に挿入可能になっており、収縮スロットは、固定スロットより大幅に縦方向に長い長さを有する、請求項４に記載のシステム。
【請求項６】
前記固定アセンブリ部（７８）に取り付けられる保護スリーブ（１２６）と、
前記保持ピン（１１０）まで延びる保護フード（１３４）を含み、前記固定スリーブ首部を受ける大きさの前記保護スリーブ（１２６）と、を更に含む、請求項５に記載のシステム。
【請求項７】
前記固定スリーブ首部は、首部の内表面に形成された前記収縮スロット（１０６）の位置を示す首部の外表面の位置合わせインジケータ（１３８）からなる、請求項６に記載のシステム。
【請求項８】
前記固定スリーブ（８２）が固定位置にあるとき、前記固定スロット（１０２）は、固定スリーブカラー部の先端部（１２２）を前記固定ナット（３４）の近くに位置づけるための長さを有しており、前記固定ナットが前記固定スリーブ（８２）に向かって縦方向に移行するために回転されたとき、前記固定スリーブカラー部の先端部（１２２）に前記固定ナット（３４）が隣接し、前記オス型及びメス型端部（３０及び２６）の分離を許容する十分な距離の縦移行から固定ナットを抑制する、請求項２に記載のシステム。
【発明の詳細な説明】
【技術分野】
【０００１】
本発明は、二つのポール部が使用中に断絶されないような安全な接続またはインターロッキングのシステム及び方法に関する。
【背景技術】
【０００２】
本項の記述は、本開示に関連した背景情報を提供するにすぎず、従来技術を構成しなくてもよい。
【０００３】
様々な産業は、様々な操作、製造、組織、検査及び維持作業を行うために長いポールの使用を組み入れている。利便性及び柔軟性のため、そのようなポールは、特定の長さのポールを提供するために様々な長さのポールを結合することにより構成又は組み立てられる。また、工具、その他の機材又は装置は、所望された作業を果たすために組立てられたポールの端に結合される。多くの場合、ポール部の接続及び工具と相対するポール部との接続は、使用中に実質的な応力、振動、及び／又は回転トルクを招くことがある。従って、接続が使用中の部品及び／又は工具の緩み及び／又は分離を防ぐためにしっかりと固定されることが重要である。
【発明の概要】
【発明が解決しようとする課題】
【０００４】
例えば、高トルクの組立式対応ポールはしばしば、原子炉保守技術員によって様々な保守、検査及び原子炉容器の補修作業の施工のために使用される工具の操作に使用される。高い頻度で、原子炉容器内でのポール及び工具の操作中、特に技術員がポールに回転トルクを加えたとき、ポール部と工具を接続するのに使用される一つ又はそれ以上の結合組立は緩み、しばしば分離する。ポール部及び／又は工具のそのような分離が起きたとき、その活動はその部分又は工具が修復するまで中断されなければならない。
【課題を解決するための手段】
【０００５】
様々な実施形態で、第一ポール部を第二ポール部にかみ合わせるためのシステムが提供される。そのシステムは、第一ポール部の管状メス型端部と、そのメス型端部に挿入可能な第二ポール部のオス型端部とを含む。そのシステムはまた、結合ナットをメス型端部に接触させオス型及びメス型端部を固定するために縦方向に移行させるオス型端部で回転可能なオス型端部とネジによって連結される結合ナットを含む。更にそのシステムは、第二ポールの固定アセンブリ部にスライド及び回転可能に取り付けられるバイアス固定スリーブアセンブリを含む。固定スリーブアセンブリは、固定スリーブと、固定ナットに固定力を与えるための固定スリーブの内部でスライド可能に位置づけられたバイアスプランジャーと、を含んでもよい。
【０００６】
その他の様々な実施形態で、第一ポール部を第二ポール部にかみ合わせるためのシステムが提供される。そのシステムは第一ポール部の管状メス型端部を含む。管状メス型端部は、相対する実質的に一対のＪ字結合スロットを含む。各結合スロットは、メス型端部の先端で開口している幹部を含む。付随して、システムは第二ポール部のオス型端部を含み、オス型端部はそこを通る結合ピンを有する。対向する結合ピンの端は結合スロットの幹部に挿入され、それぞれの結合スロットのフック部に放射状に移行するように、オス型端部はメス型端部に挿入される。そのシステムは、オス型端部の先端でオス型端部とねじによって連結される結合ナットを更に含む。メス型端部とオス型端部が固定してかみ合わせるため結合ピン端を固定スロットのフック部に移動させるために、固定ナットがメス型端部に接触するように縦方向に移行するために、固定ナットは回転されてもよい。
【０００７】
システムは更に、固定スリーブ組立部の先端と固定ナットとの間の第二ポールの固定スリーブ組立部を通る固定スリーブ保持ピンを含む。また更に、システムは固定ナットと固定スリーブ保持ピンとの間の固定スリーブ組立部に取り付けられるスライド及び回転可能なバイアス固定スリーブ組立部を含んでもよい。様々な実施形態において、固定スリーブアセンブリは、カラー部と首部とを有する固定スリーブと、カラー部の内部にスライド可能に配置されたプランジャーと、固定ナットに対してプランジャーを推し進めるための首部とプランジャーの間のカラー部の内部に位置しているバイアス装置と、を含んでもよい。
【０００８】
更に他の実施形態において、第一ポール部を第二ポール部にかみ合わせるための方法が提供されている。そのシステムは、オス型端部を通る対向した結合ピンの端部が、メス型端部に形成される相対するＪ字結合スロットの幹部に挿入されるために、第一ポール部の管状メス型端部を第二ポール部のオス型端部に挿入する方法を含む。更に、その方法は、相関するオス型及びメス型端部の少なくとも一つが、結合ピンを各結合スロットのフック部に移行させるための回転を含んでもよい。更に、その方法は、オス型端部の先端付近でオス型端部とネジによって結合される結合ナットを、メス型端部に接触するように縦方向に移行するための固定ナットの回転を含んでもよく、それによりメス型端部とオス型端部が固定してかみ合わせるため結合ピン端を固定スロットのフック部に移動させる。固定スリーブアセンブリのバイアスプランジャーは固定ナットに、固定ナットの回転及び固定ナットとメス型端部との分離を防ぐ又は大幅に抑制するのに十分な固定力を与えるために、固定ナットに向かって第二ポールの固定スリーブアセンブリに取り付けられるバイアス固定スリーブアセンブリを縦に推移する方法を更に含む。更に固定スリーブアセンブリ部を通る固定スリーブ保持ピンを有する固定スリーブの首部の先端部の内部表面に放射状に配置された一対の固定スロットと連結するための、固定スリーブアセンブリの固定スリーブの回転を更に含み、それにより固定スリーブアセンブリを“固定”位置に固定し、バイアスプランジャーによって及ぼされた固定力は固定ナットに維持される。
【０００９】
本教示の適用性の更なる範囲は、ここに提供される詳細な説明により明白になるであろう。説明及び詳細な例は描写としての目的のみであり、本教示の範囲を制限するものではないことは当然の理解である。
【図面の簡単な説明】
【００１０】
ここで説明される図は、描写としての目的のみであり、本教示の範囲を制限するものではない。
【図１】本開示の様々な実施形態に従って、結合システムを利用し、互いにかみ合わせられた隣接ポール部を含む組立式対応ポールの断片を示した図である。
【図１Ａ】本開示の様々な実施形態に従って、隣接ポール部を分離した図１に示される組立式対応ポールを示した図である。
【図２】本開示の様々な実施形態に従って、図１に示された組立式対応ポールの分解図である。
【図３】本開示の様々な実施形態に従って、図１に示された組立式対応ポールに含まれた固定スリーブアセンブリの断面図である。
【図４Ａ】本開示の様々な実施形態に従って、図１に示された組立式対応ポールの一部の断面図であり、図３で示された固定スリーブアセンブリが“固定”位置に固定された図を示す。
【図４Ｂ】本開示の様々な実施形態に従って、図１に示された組立式対応ポールの一部の断面図であり、図３で示された固定スリーブアセンブリが“解除”位置に固定された図を示す。
【図５】本開示の様々な実施形態に従って、保護スリーブを含む図１に示された組立式対応ポールの分解図である。
【図６】本開示の様々な実施形態に従って、図１に示された組立式対応ポールの一部であり、図１に示された連結システムを利用して工具がそれに結合されている図である。
【発明を実施するための形態】
【００１１】
後述の説明は、実際にただの説明に過ぎず、本教示、応用、又は使用を制限するものではない。この明細書を通して、数字などは要素のような意味をなすために使用される。
【００１２】
図１及び図１Ａは、組立式対応ポール１０の典型図を示している。組立式対応ポール１０は、作業員が工具、システム、装置、部品などのごく近くで作業を行うことが不便または実行不可能な場合、様々な操作、製造、組織、検査及び維持作業を行うために実行されてもよい。例えば、様々な実施形態において、組立式対応ポール１０は、原子炉保守技術員によって、様々な保守、検査、及び原子炉容器の補修作業を施工するために使用される工具を操作するために使用されてもよい。
【００１３】
一般的に、組立式対応ポール１０は、連結システム２２を利用して第二ポール部１８と結合されている第一ポール部１４を有している。第一及び第二ポール部１４及び１８は、後述されるように、一般的には同じパーツ、部品及び構造からなる。しかしながら、第一及び第二ポール部１４及び１８は、組立式対応ポール１０を構成する又は組み立てるために結合される実質的に類似した二つの複数のポール部の典型図に過ぎない。すなわち、第一及び第二ポール部１４及び１８は、同じか或いは異なった長さのものであり、組立式対応ポール１０は、典型図で描かれている第一及び第二ポール部１４及び１８より多いポール部からなってもよい。従って、組立式対応ポール１０は、所望の長さの二つかそれ以上のポール部を連結させることによりいかなる所望の長さを得るために構成又は組み立てられても良い。例えば連結システム２２を使用した第一及び第二ポール部１４及び１８がここに説明される。
【００１４】
様々な実施形態における図１、図１Ａ及び図２は、第一ポール部１４の管状メス型端部２６と第二ポール部１８のオス型端部３０とを含む。管状メス型端部２６の内径は、オス型端部３０の外径と実質的に同じにサイズである。そのためオス型端部３０は、メス型端部の内径とオス型端部の外径の間にほとんど遊び、ゆるみ、隙間又は空間がなくメス型端部２６に挿入されることができる。従ってオス型端部３０は、メス型端部２６にきっちりと収まり、第一及び第二ポール部１４及び１８が互いに実質的に固定又は安定した伸張となる。
【００１５】
更に、様々な様式で、結合システム２２は、オス型端部３０に形成されたスレッド３８にネジによって連結される固定ナット３４を含む。固定ナット３４が、オス型端部３０の軸Ａに沿ってＸ＋方向及びＸ−方向にオス型端部３０の周囲を縦方向に移行するために固定ナット３４は回転されてもよい。例えば、一旦オス型端部３０がメス型端部３６に挿入されると、結合ナット３４はＸ−方向に縦方向に移行し、メス型端部２６（図４に示されるように）がオス型端部３０としっかり連結するために接触するように結合ナット３４は回転されてもよい。
【００１６】
より具体的には、様々な実施形態において、オス型端部３０は、スレッド３８とオス型端部３０の先端４６との間でオス型端部３０の横方向に通る結合ピン４２を含む。また、メス型端部２６は、実質的に対向している一対のＪ字結合スロット５０を含む。図１Ａによく示されるように、各Ｊ字結合スロット５０はメス型端部２６の先端部５８で開口している幹部５４と、フック部６２と、フック部６２と一体になって幹部５４と結合する底部６６とを含む。そのような実施形態では、オス型端部３０がメス型端部２６に挿入されたとき、対向する結合ピン端４２Ａ及び４２Ｂは、それぞれのＪ字結合スロット５０の幹部５４へ挿入される。そして第一ポール部１４及び／又は第二ポール部１８は、結合ピン端部４２Ａ及び４２Ｂを、底部６６を通じて幹部５４からフック部６２に移行させるために互いに回転されてもよい。
【００１７】
そして固定ユニット３４はメス型端部２６の先端に接触するために、Ｘ−方向にスレッド３８の周囲を縦方向に移行または移動するために回転されてもよい。更に、固定ユニット３４の回転は、結合ピン端４２Ａ及び４２Ｂが、フック部６２の先端部７０にしっかりはまるまでメス型端部２６をＸ−方向に動かす。結合ピン端４２Ａ及び４２Ｂがフック部６２の先端７０にしっかりとはめ込まれたとき、メス型及びオス型端部２６及び３０、より具体的には、第一及び第二ポール部１４及び１８は、しっかりと結合されるか、互いに連結する。
【００１８】
様々な実施形態における図２及び図３は、第二ポール部１８の固定アセンブリ部７８に取り付けられるスライド及び回転可能なバイアス固定スリーブアセンブリ７４（図２に示される）を更に含む固定システム２２を示す。様々な実施において、バイアス固定スリーブアセンブリ７４は、カラー部８６及びネック部９０を有する固定スリーブ８２と、固定スリーブカラー部８６の内部にスライド可能に配置されるプランジャー９４と、ネック部９０とプランジャー９４の間のカラー部８６の内部に配置されるバイアス装置９８と、を含む。バイアス装置９８はばねとして描かれているが、その装置は、ばね、弾性ブッシング、または固定ユニット３４に対してプランジャー９４をＸ−方向に推し進めるための力をプランジャーに及ぼす適当な装置であってもよい。
【００１９】
図２、図３、図４Ａ及び図４Ｂは、後述されるように、複数の固定スロット１０２及び固定スリーブ首部９０の内表面に沿って形成される一対の収縮スロット１０６を含む固定スリーブ８２を示す。固定スロット１０２及び収縮スロット１０６は、固定ナット３４と固定スリーブアセンブリ部７８の先端１１４との間で固定スリーブアセンブリ部７８を通って延びる固定スリーブ保持ピン１１０と連動するために構成される。具体的に、固定スリーブ保持ピン１１０の対向する端１１０Ａ及び１１０Ｂは、固定スロット１０２の対向する対と連動し、バイアス固定スリーブアセンブリ７４を“固定”位置（図４Ａ）に、又収縮スロット１０６と連動しバイアス固定スリーブアセンブリ７４を“解除”位置（図４Ｂ）に位置づけるように、固定スリーブアセンブリは操作可能である。
【００２０】
更に具体的には、図３で示されるように、固定スロット１０２は、固定スリーブ首部９０の先端部１１８の内表面に放射状に配置される短いスロットからなる。固定スロット１０２は、固定スリーブ保持ピン１１０の端１１０Ａ及び１１Ｂを受ける大きさになっており、バイアス装置９８のバイアス力が固定スリーブ８２のＸ＋方向に及ぼされたとき、固定スリーブ保持ピン端１１０Ａ及び１１０Ｂをしっかり保持するのに十分な長さＬを有している。
【００２１】
固定スリーブ８２を“固定”位置に位置づけるために、固定ナット３４は、上述されるように、第一及び第二ポール部１４及び１８をしっかりつなげるためにＸ−方向に回転されて移行され、固定スリーブ８２に、バイアス装置９８のバイアス力に打ち勝つ十分な力がＸ−方向に与えられる。従って、固定スリーブ８２をＸ−方向に縦方向に移行する。特に、固定スリーブ首部９０の先端１１８から固定スリーブ保持ピン端１１０Ａ及び１１０Ｂを離す、すなわち分離するのに十分な距離でＸ方向に固定スリーブ８２を移行する十分な力、例えば手によって与えられた力、が固定スリーブ８２に加えられる。更に具体的には、収縮スロット１０６から固定スリーブ保持ピン端１１０Ａ及び１１０Ｂを分離するのに十分なＸ−方向に固定スリーブ８２は移行される。
【００２２】
固定スリーブ８２は次に、対向する対の固定スロット１０２に固定スリーブ保持ピン端１１０Ａおよび１１０Ｂを合わせるために第二ポール固定スリーブアセンブリ部７８の周囲を回転してもよい。固定スリーブ保持ピン端１１０Ａ及び１１０Ｂが一旦対向する対の固定スロット１０２に合わせられると、バイアス装置９８により与えられる力は、固定スリーブ８２をＸ＋方向に動かし、相対する固定スロット１０２の底面１０２Ａに接触するように固定スリーブ保持ピン端１１０Ａ及び１１０Ｂを移動するので、固定スリーブ８２のＸ−方向にかけられている力は取り除かれてもよい。一旦固定スリーブ保持ピン端１１０Ａ及び１１０Ｂが底面１０２Ａに接触したら、固定スリーブ８２は更にＸ＋方向に移動することを抑制される。従って、固定スリーブ保持ピン端１１０Ａ及び１１０Ｂは固定スロット１０２の内部にしっかりと固定され、固定スリーブ８２は“固定”位置に位置づけられる。
【００２３】
“固定”位置にあるとき、バイアス装置９８は、固定負荷又は固定力を固定ナット３４に及ぼすプランジャー９４に同様に固定負荷又は固定力を与えるために圧縮される。より具体的には、バイアス装置９８は、固定ナット３４の回転又は結果的に生じるメス型端部２６からの固定ナット３４の分離を防ぐ又は大幅に抑制するために十分な固定負荷又は固定力を提供するために構成される。例えば様々な実施形態において、バイアス装置９８は、固定スリーブ８２が“固定”位置にあるとき、固定ナット３４に約３０〜５０ｌｂｓ／ｉｎ（約５．４〜８．９ｋｇ／ｃｍ）の力、例えば約４０ｌｂｓ／ｉｎ（約７．１ｋｇ／ｃｍ）、を及ぼすために構成される。また、後述されるように、固定スリーブ８２と固定ナット３４との間に結果的にできる隙間「D」は、結合ピン４２をＪ字結合スロット５０から分離するのに必要な距離より短い。従って、第一及び第二ポール部１４及び１８の分離の可能性を更に抑制する。
【００２４】
図３は更に、固定スリーブ首部９０の先端部１１８の内表面に配置される一対の相対するスロットからなる収縮スロット１０６である。固定スロット１０２と同様に、収縮スロット１０６もまた固定スリーブ保持ピン１１０の端部１１０Ａ及び１１０Ｂを受ける大きさになっている。更に、収縮スロット１０６は、固定スロット１０２の長さＬよりも軸方向に大幅に長い長さＭを有する。収縮スロット１０６の長さＭは、プランジャー９４及びバイアス装置９８によって固定ナット３４に与えられる固定力を排除するのに十分な距離で固定スリーブ８２をＸ＋方向に移行させることができる十分な長さである。具体的に、固定力の排除は、固定スリーブ８２が固定ナット３４から固定ナット３４が緩ませるために十分な距離をＸ＋方向に縦移行し、結合ピン４２が結合スロット５０及びメス型端部２６から分離されたオス型端部３０から外すことを可能にする。
【００２５】
固定スリーブ８２が“解除”位置に位置づけられたとき、プランジャー９４とバイアス装置９８とによって固定ナット３４に与えられる力は完全に排除されるもしくはされない場合があることは理解されよう。しかしながら、この力は固定力よりはるかに小さく、容易に克服できるものである。従って、固定ナット３４はＸ＋方向に移行されるために回転されてもよい。そのため、オス型及びメス型端部３０及び２６が分離されてもよいため、結合ピン端４２Ａ及び４２Ｂを各Ｊ字スロット５０から取り外すことを可能にする。
【００２６】
それ故、固定スリーブ８２を“解除”位置に位置づけるために、バイアス装置９８によって与えられている固定力を克服するための十分な力をＸ−方向に固定スリーブ８２に加える。その後固定スリーブ８２は、固定スロット１０２から固定スリーブ保持ピン端１１０Ａ及び１１０Ｂを分離するのに十分な距離であるＸ−方向に縦方向に移行される。固定スリーブ８２はその後、固定スリーブ保持ピン端１１０Ａ及び１１０Ｂと収縮スロット１０６を合わせるために第二ポールの固定スリーブ部の周囲で回転されてもよい。一旦収縮スロット１０６が固定スリーブ保持ピン端１１０Ａ及び１１０Ｂと合わさると、バイアス装置９８の力は固定スリーブ８２を、収縮スロット１０６の長さＭに実質的に等しい距離のＸ＋方向に移行させることができる。従って固定スリーブ８２を“解除”位置に位置づける。
【００２７】
上述されたように、固定アセンブリ７４が“解除”位置のとき、プランジャー９４により与えられバイアス装置９８によって圧縮された固定力は排除される。一旦固定力が排除されると、各Ｊ字スロット５０と第二ポール部１８から分離された第一ポール部１４とから結合ピン端４２Ａ及び４２Ｂが取り外されることを可能にする十分な距離にＸ＋方向に固定ナット３４が縦方向に回転され移行されてもよい。
【００２８】
図３に描かれているように、収縮スロット１０６の長さＭは、固定スロット１０２の長さＬよりはるかに長い。様々な実施形態において、収縮スロット１０６の長さＭは、固定スロット１０２の長さＬより約５から２５倍長く、例えば固定スロット１０２の長さＬより１５倍長い。例えば、様々な構成において、固定スロット１０２の長さＬは、約１６分の１インチ（約１．６ｍｍ）であり、縮スロット１０６の長さＭは約１〜２インチ（約２５〜５１ｍｍ）である。
【００２９】
具体的に図４Ａは、上述されたように、バイアス固定スリーブアセンブリ７４が“固定”位置のとき、様々な実施形態の固定スロット１０２の長さＬは、固定ナット３４から特定の距離Ｄで固定スリーブカラー部８６の先端１２２を位置づける大きさである。より具体的には、組立式対応ポール１０の使用中に固定ナット３４が交代した場合、固定ナット３４は特定距離ＤだけＸ＋方向の縦方向に移行されることができるので、距離Ｄは特定の大きさである。更に具体的には、もし固定ナット３４が距離Ｄで後退した場合、固定ナット３４は、固定スリーブカラー部８６の先端１２２の周囲に隣接する。そのため距離Ｄは算出される。従って、Ｊ字スロット５０のフック部６２から結合ピン端４２Ａ及び４２Ｂを移動させることが可能な十分なＸ＋方の距離の縦方向の移行から固定ナット３４を防ぐことができる。従って、一旦バイアス固定スリーブアセンブリ７４が“固定”位置に位置づけられると、組立式対応ポール１０の使用中に固定ナット３４が後退した場合、固定ナット３４はＸ＋方向に距離Ｄだけ移動することが許容されているため、オス型及びメス型端部３０及び２６の分離は抑制される。距離Ｄは、結合ピン端４２Ａ及び４２ＢがＪ字スロット５０から分離するのを可能にするには不十分な距離である。例えば、様々な実施形態において、Ｊ字スロット５０からの結合ピン端４２Ａ及び４２Ｂの分離は、Ｘ方向に約４分の１インチ（約６．４ｍｍ）の移動を必要とし、距離Ｄは１インチ（２５．４ｍｍ）の１０分の１から８分の１でもよい。
【００３０】
図５は、様々な実施形態において、固定スリーブアセンブリ部７８に取り付けられる保護スリーブ１２６を更に含む連結システム２２の図である。保護スリーブ１２６は、保護スリーブ１２６を固定スリーブアセンブリ部７８に取り付けるためのボディ１３０と、固定スリーブ保持ピン端１１０Ａ及び１１０Ｂに及ぶ保護フード１３４と、を含む。従って、保護フード１３４は、固定スリーブ保持ピン端１１０Ａ及び１１０Ｂを衝撃から守るために覆う。更に、保護フード１３４は、固定スリーブ首部９０を支えて、少なくとも固定スリーブ首部９０の先端部１１８をカバーする大きさである。そのため、保護フード１３４は固定スロット１０２及び収縮スロット１０６を覆い、保護する。様々な実施形態において、保護フード１３４は、固定スロット１０２及び収縮スロット１０６を覆い且つ保護し、固定スリーブ８２の首部９０は、首部９０の外表面の位置合わせインジケータ１３８を含む。位置合わせインジケータ１３８は、首部９０の外表面に形成された収縮スロット１０６の位置を示すのに適当ないかなるインジケータであってもよい。例えば、様々な実施形態において、位置合わせインジケータは、着色マーク、型押し矢印、はめ込みライン又はいかなる適当なインジケータであってもよい。
【００３１】
図６において、連結システム２２は例えば第一及び第二ポール部１４及び１８のような二つかそれ以上のポール部を連結することで構成され使用可能になることが説明されてきたが、連結システム２２は更に工具１４２をポール部に連結して実施されてもよいことは、当然のことである。より具体的には、工具１４２は、上述された管状メス型端部２６と同じ形状、構成及び機能である管状メス型端部２２Ａに連結されてもよい。従って、工具１４２は、第一及び第二ポール部１４及び１８に従って上述された連結システム２２を使用したポール部のオス型端部３０に連結されてもよい。工具１４２は連結されるポール部を有する組立式対応ポール１０を使用して所望の作業を行うためのいかなる工具、器具または装置、及び／又はここに説明される連結システム２２を使用するポール部連結される工具であってもよい。
【００３２】
説明のために第一、第二、第三などの表現がここで使用される場合があるが、様々な要素、要素及び／又は部分、これらの要素、要素及び／又は部分は、これらの表現によって制限されないことは、明らかである。これらの表現は、一つの要素又は部分を他の要素又は部分から識別するためだけに使用されるであろう。従って、後述される第一要素又は部分は、本実施形態から逸脱することなく第二要素又は部分を称してもよい。
【００３３】
ここに使用される専門用語は、特定の実施形態を説明するためだけに使用され、制限するものではない。ここに使用されているように、“一つの（a）及び（an）”及び“the（その）”は、文脈で明確に示さない限り、複数を含む場合もある。この明細書に“構成する(comprise)”及び／又は“構成している(comprising)”が使用されるとき、説明された特徴、整数、工程、作業、要素、及び／或いは構成要素を特定し、しかし一つがそれ以上の他の特徴、整数、工程、作業、要素及び／或いはそのグループの存在又は付加の排除しないことは、明らかである。
【００３４】
この説明は単に説明にすぎず、従って説明された主旨から逸脱しないバリエーションは、教示の範囲である。そのようなバリエーションは、教示の精神と範囲からの飛躍とはみなされない。
【符号の説明】
【００３５】
１４  …  第一ポール部
１８  …  第二ポール部
２６  …  管状メス型端部
３０  …  オス型端部
３４  …  固定ナット
７８  …  固定アセンブリ部
７４  …  バイアス固定スリーブアセンブリ
８２  …  固定スリーブ
９４  …  プランジャー
９８  …  バイアス装置
【図１】
2009236912.tif 000003
【図１Ａ】
2009236912.tif 000004
【図２】
2009236912.tif 000005
【図３】
2009236912.tif 000006
【図４Ａ】
2009236912.tif 000007
【図４Ｂ】
2009236912.tif 000008
【図５】
2009236912.tif 000009
【図６】
2009236912.tif 000010